(57)【特許請求の範囲】
【請求項１】
コンセントに挿入接続して使用する接地極付横型プラグであって、表面に組立ねじ挿入孔と側面に第１のコード挿入孔構成部を有するとともに、該第１のコード挿入孔構成部を有した側面を除く他の三方向の側面に突出するカバー鍔部を設けたカバーと、外部から挿入されるコードを機械的且つ電気的に接続する端子部を有する栓刃と、前記カバーに結合し、該カバーより栓刃に近い位置に設けられるボデイとを備え、
このボデイに、一対の栓刃挿入孔と接地極栓刃挿入孔を設け、前記第１のコード挿入孔構成部と組み合わせてコード挿入孔を形成する第２のコード挿入孔構成部を設けるとともに、手によってプラグをコンセントへ挿入接続する際に、前記プラグを握った指を引っ掛けるボデイ鍔部を前記ボデイに設けたことを特徴とする接地極付横型プラグ。
【請求項２】
前記一対の栓刃挿入孔を結んだライン上において、前記ボディの幅を最も広くしたことを特徴とする請求項１記載の接地極付横型プラグ。
【請求項３】
前記カバーに、前記カバーと前記ボディの結合時に前記栓刃の端子部を押さえる突起部を設けたことを特徴とする請求項１または請求項２に記載の接地極付横型プラグ。
【発明の詳細な説明】
【０００１】
【従来の技術】
従来の接地極付横型プラグは、図６に示すように、器体１００の側面において、指を添える部分に凹部１０１が設けられていた。また、プラグの器体内部において、栓刃１０２を固定ねじ（不図示）だけで固定するようにしていた。
【０００２】
【発明が解決しようとする課題】
上述のように、従来の接地極付横型プラグでは、図７に示すように、プラグをコンセント５０に差し込む際に、器体１００自体に引っ掛かりがなかったために、力をうまく伝えることができず押し込みにくくなっていた。また、指が充電栓刃１０２ａに滑り込みやすくなっていた。
【０００３】
本発明は、上記事由に鑑みて為されたものであり、その目的は、プラグをコンセントに差し込む際に、指が充電栓刃に滑り込むのを防ぐことができるとともに、プラグの抜き差しがしやすい接地極付横型プラグを提供することである。
【０００４】
【課題を解決するための手段】
本発明は上記の問題を解決するために、請求項１記載の発明にあっては、コンセントに挿入接続して使用する接地極付横型プラグであって、表面に組立ねじ挿入孔と側面に第１のコード挿入孔構成部を有するとともに、該第１のコード挿入孔構成部を有した側面を除く他の三方向の側面に突出するカバー鍔部を設けたカバーと、外部から挿入されるコードを機械的且つ電気的に接続する端子部を有する栓刃と、前記カバーに結合し、該カバーより栓刃に近い位置に設けられるボデイとを備え、
このボデイに、一対の栓刃挿入孔と接地極栓刃挿入孔を設け、前記第１のコード挿入孔構成部と組み合わせてコード挿入孔を形成する第２のコード挿入孔構成部を設けるとともに、手によってプラグをコンセントへ挿入接続する際に、前記プラグを握った指が引っ掛かるボデイ鍔部を前記ボデイに設けたを有することを特徴とするものである。
【０００５】
請求項２記載の接地極付横型プラグは、請求項１記載の接地極付横型プラグにおいて、前記一対の栓刃挿入孔を結んだライン上において、前記ボディの幅を最も広くしたことを特徴とするものである。
【０００６】
請求項３記載の接地極付横型プラグは、請求項１または請求項２記載の接地極付横型プラグにおいて、前記カバーに、前記カバーと前記ボディの結合時に前記栓刃の端子部を押さえる突起部を設けたことを特徴とするものである。
【０００７】
【発明の実施の形態】
以下、本発明の実施形態について図を参照して説明する。図１は、本発明の実施形態に係る接地極付横型プラグの分解斜視図である。図２は、本発明の実施形態に係る接地極付横型プラグの概略斜視図であり、（ａ）は表面斜視図、（ｂ）は裏面斜視図である。図３は、本発明の実施形態に係る接地極付横型プラグをコンセントに差し込む際の状態を示す側面図である。図４は、本発明の実施形態に係る接地極付横型プラグの概略説明図であり、（ａ）はカバーを外した状態を示す表面図であり、（ｂ）は断面Ａ−Ａでの断面図である。図５は、本発明の実施形態に係る接地極付横型プラグの使用状態図であり、（ａ）はコンセントに接続した状態、（ｂ）はコードを接続した状態である。
【０００８】
この接地極付横型プラグは、カバー１と、カバー１に結合するボディ２とで構成されている。また、カバー１とボディ２の中に納装される栓刃３を備えている。ここで、栓刃３は、充電極栓刃３ａが２つと接地極栓刃３ｂが１つの計３つあり、それぞれ外部から挿入されるコード（ここでは、ＶＣＴケーブル）を機械的且つ電気的に接続する端子片３１を有している。また、栓刃３は、栓刃固定ねじ３２によって取り付けられ、充電極栓刃３ａが有する充電極端子片３１ａには、コードの電源線が充電極端子ねじ３３ａによって接続され、接地極栓刃３ｂが有する接地極端子片３１ｂには、コードの接地線が接地極端子ねじ３３ｂによって接続される。なお、端子片３１とは、栓刃３において端子ねじ３３が取り付けられる片全体のことを指している。
【０００９】
カバー１は、カバー表面に組立ねじ４を挿入する組立ねじ挿入孔１１と、カバーの後方側面１０ａにコードを通線するためのコード挿入孔構成部１２とを有している。また、コード挿入孔構成部１２を有した後方側面１０ａを除く残り三方向の側面に突出するカバー鍔部１３を有している。ボディ２は、２つの充電極栓刃挿入孔２１ａおよび１つの接地極栓刃挿入孔２１ｂからなる栓刃挿入孔２１と、組立ねじ４の螺合部２２とを有している。また、ボディ２は、カバー１のコード挿入孔構成部１２と組み合わされてコードを通線するためのコード挿入孔構成部２３を有するとともに、コードを固定するためのコード止め２４がコード止め固定ねじ２５と六角ナット２６によって取り付けられる。さらに、ボディ２は、カバー鍔部１３に対応する位置に、カバー鍔部１３よりも大きなボディ鍔部２７を有している。
【００１０】
次に、カバー１とボディ２とを組み合わせた接地極付横型プラグについて図２を参照して説明する。図２に示すように、カバー１のコード挿入孔構成部１２とボディ２のコード挿入孔構成部２３とが組み合わされてコードを通線するためのコード挿入孔５が形成され、コード挿入孔５を備えた側面１０を除く残り三方向の側面において、カバー鍔部１３とボディ鍔部２７と対向するように、表面側の端部と裏面側の端部にそれぞれ設けられている。さらに、図３に示すように、接地極付横型プラグの側面は中央部がくびれた構造になっている。このように接地極付横型プラグにカバー鍔部１３とボディ鍔部２７とを形成することによって、鍔部の大きなボディ鍔部２７に指が引っ掛かるためにコンセントとの接続部に指が入り込んで充電極栓刃３ａに指が触れるのを防ぐことができる。また、接地極付横型プラグをコンセント５０に差し込んだり、コンセント５０から引き抜いたりする際に、カバー鍔部１３やボディ鍔部２７に指が引っ掛かって力を加えやすい構造になっている。
【００１１】
また、この接地極付横型プラグのボディ鍔部２７を含んだボディ２の幅は、図４に示すように、ボディ２に設けられた２つの充電極栓刃挿入孔２１ａを結んだライン上において、最も広くなっている。このため、プラグをコンセント５０に差し込む際に最も力の必要な充電極栓刃３ａのライン上において握りやすく、そして力を入れやすい構造になっている。
【００１２】
さらに、この接地極付横型プラグは、図４に示すように、栓刃３を端子片３１の片上において、栓刃固定ねじ３２だけでなくカバー１側からも押さえて固定する構造になっている。詳しくは、図４の（ｂ）に示すように、カバー１とボディ２とが組み合わされたときに、図４の（ａ）に示す斜線部のところをカバー１に設けられた栓刃押え突起部６が押さえるようになっている。このため、栓刃固定ねじ３２が破損した場合においても栓刃が移動しにくくなっている。
【００１３】
次に、この接地極付横型プラグを使用した場合の状態について、図５を参照して説明する。この接地極付横型プラグは、図５の（ａ）に示すように、壁面等に代表される施工面に露出した状態で取り付けられるコンセント５０（ここでは、露出コンセント）の栓刃挿入口（不図示）に栓刃３を挿入して使用するものである。また、図５の（ｂ）に示すように、ＶＣＴケーブル等のコードが接地極付横型プラグの側面１０に形成されたコード挿入孔５から挿入される。コード挿入孔５から挿入したコードは、各栓刃３の端子片３１に接続される。ここで、コードには電源線が２本と接地線が１本の計３本があり、更に電源線には電源側と接地側がある。それぞれの線の先端には圧着端子７が備えられ、前述したコードの種類に対応している端子片３１に端子ねじ３３によって接続される。このように、先端を圧着端子７で構成することによって、従来のリード線による結線において、ばらけた線が他の栓刃に干渉しないようにするための隔壁リブ（不図示）をボディ２に設ける必要がなくなり、接地極付横型プラグの薄型が可能になる。
【００１４】
【発明の効果】
本発明の接地極付横型プラグは上述のように構成してあるから、請求項１記載の発明にあっては、手で握ったプラグをコンセントへ挿入接続する際に、充電部である栓刃に近い位置に配置されたボデイにプラグを握る指が引っ掛かるようにして、それ以上指が下方に滑っていかない様にしたボデイ鍔部を設けたので、指が充電部である栓刃に触れて感電する恐れがなくなるとともに、このボデイ鍔部と上方に設けられたカバー鍔部の両者によって、プラグの側面を握った指が挟まれるようにしたので、指が上下に移動することなくしっかりとプラグを保持できるため、プラグの抜き差しを容易に行うことができる。という効果を奏する。
【００１５】
請求項２記載の接地極付横型プラグは、請求項１記載の接地極付横型プラグにおいて、前記一対の栓刃挿入孔を結んだライン上において、前記ボディの幅を最も広くしたので、プラグをコンセントに差し込む際に、確実に指が充電栓刃に滑り込むのを防ぐとともに、プラグに力をより加えやすくしている。
【００１６】
請求項３記載の接地極付横型プラグは、請求項１または請求項２記載の接地極付横型プラグにおいて、前記カバーに、前記カバーと前記ボディの結合時に前記栓刃の端子部を押さえる突起部を設けたので、栓刃をよりしっかりと固定することができ、栓刃の固定部が破損した場合においてもぐらつきを少なくすることができる。
【図面の簡単な説明】
【図１】本発明の実施形態に係る接地極付横型プラグの分解斜視図である。
【図２】本発明の実施形態に係る接地極付横型プラグの概略斜視図である。
【図３】本発明の実施形態に係る接地極付横型プラグをコンセントに差し込む際の状態を示す側面図である。
【図４】本発明の実施形態に係る接地極付横型プラグの概略説明図である。
【図５】本発明の実施形態に係る接地極付横型プラグの使用状態図である。
【図６】従来の接地極付横型プラグの斜視図である。
【図７】従来の接地極付横型プラグをコンセントに差し込む際の状態を示す側面図である。
【符号の説明】
１  カバー
２  ボディ
３  栓刃
５  コード挿入孔
６  栓刃押え突起部
１１  組立ねじ挿入孔
１２  コード挿入孔構成部
１３  カバー鍔部
２１  栓刃挿入孔
２１ａ  充電極栓刃挿入孔
２１ｂ  接地極栓刃挿入孔
２３  コード挿入孔構成部
２７  ボディ鍔部
３１  端子片
【図１】
0003788271.tif 000002
【図２】
0003788271.tif 000003
【図３】
0003788271.tif 000004
【図４】
0003788271.tif 000005
【図５】
0003788271.tif 000006
【図６】
0003788271.tif 000007
【図７】
0003788271.tif 000008